(57)【要約】【課題】流体に混在している種々サイズの異物を濾材の全体に亘って捕集し得るようにする。【解決手段】フィルタケース１０に内部画成される収容部１６に収容される前の濾材２０の外部寸法を、該収容部１６の内部容積より適宜大きく設定する。従って、濾材２０は収容部１６へ圧縮的に収容されるようになり、異物の捕集率が高まる圧縮部位３０が当該濾材２０の任意の部位に作り出される。これにより、各種寸法差のある異物を、前記濾材２０の全体に亘り捕集し得るようになる。なお、濾材２０と収容部１６との寸法差は、導入口１２の側より排出口１４の側がより大きく設定され、該導入口１２の側より該排出口１４の側の方が圧縮部位３０の圧縮度合が大きくなっている。【選択図】　図４
2004057914.tif 000002
【特許請求の範囲】
【請求項１】
所要位置に流体の導入口（１２）および排出口（１４）を開設し、これら導入口（１２）および排出口（１４）に連通する収容部（１６）を内部に画成したケース体（１０）と、適度の弾力性を有する均一密度の多孔質体を材質とし、前記収容部（１６）に着脱自在に収容される濾材（２０）とからなり、前記導入口（１２）から収容部（１６）へ導入した流体を前記濾材（２０）に通過させて該流体に混在している微細な異物を捕集し、清浄化された流体を前記排出口（１４）から排出するようにした流体フィルタにおいて、
前記収容部（１６）に収容される前の前記濾材（２０）の外部寸法を、該収容部（１６）の内部容積より適宜大きく設定し、
前記収容部（１６）へ前記濾材（２０）を圧縮的に収容することで、前記異物の捕集率が高まる圧縮部位（３０）を当該濾材（２０）の任意の部位に作り出し、これにより各種寸法差のある前記異物を前記濾材（２０）の全体に亘り捕集し得るよう構成した
ことを特徴とする流体フィルタ。
【請求項２】
前記濾材（２０）と前記収容部（１６）との寸法差は、前記導入口（１２）の側より前記排出口（１４）の側がより大きく設定され、これにより前記圧縮部位（３０）の圧縮度合は、該導入口（１２）の側より該排出口（１４）の側の方が大きくなっている請求項１記載の流体フィルタ。
【請求項３】
前記濾材（２０）と前記収容部（１６）との寸法差は、前記導入口（１２）の側から前記排出口（１４）の側に向けて段階的に大きくなるよう設定されている請求項２記載の流体フィルタ。
【請求項４】
前記濾材（２０）と前記収容部（１６）との寸法差は、前記導入口（１２）の側から前記排出口（１４）の側に向けて連続的に大きくなるよう設定されている請求項２記載の流体フィルタ。
【請求項５】
前記濾材（２０）と前記収容部（１６）との寸法差は、前記導入口（１２）の側から前記排出口（１４）の側に向けて直線的に大きくなるよう設定されている請求項４記載の流体フィルタ。
【請求項６】
前記濾材（２０）と前記収容部（１６）との寸法差は、前記導入口（１２）の側から前記排出口（１４）の側に向けて非直線的に大きくなるよう設定されている請求項４記載の流体フィルタ。
【請求項７】
前記濾材（２０）は、連泡構造を有する合成樹脂製の連泡体、不織布または繊維集合体等から形成される請求項１〜６の何れかに記載の流体フィルタ。
【発明の詳細な説明】
【０００１】
【発明の属する技術分野】
本発明は、流体フィルタに関し、更に詳細には、所要位置に流体の導入口および排出口を開設し、これら導入口および排出口に連通する収容部を内部に画成したケース体と、適度の弾力性を有する均一密度の多孔質体を材質とし、前記収容部に着脱自在に収容される濾材とから構成された流体フィルタに関するものである。
【０００２】
【従来の技術】
例えば、空気清浄器、自動車用エンジン、流体圧シリンダ等、空気やガス等の気体またはオイル等の液体を活用する種々の装置では（以下、気体および液体を総称して「流体」という）、図１０に示すように、この流体内に混在している微細な異物（塵埃、ゴミ等）を捕集して該流体を清浄化するための流体フィルタＦＬを、当該装置Ｍにおける流体導入部Ｍ１に装着する場合が多い。この流体フィルタＦＬは、種々形態・タイプのものが開発されると共に実用化されているが、例えば図１１に示すように、所要位置に流体の導入口１２および排出口１４を開設し、これら導入口１２および排出口１４に連通する収容部１６を内部に画成したフィルタケース（ケース体）１０と、適度の弾力性を有する均一密度の多孔質体を材質とし、前記収容部１６に着脱自在に収容される濾材２０とから構成されている。そして、前記導入口１２から収容部１６へ導入した流体を前記濾材２０に通過させて該流体に混在している微細な異物を捕集し、清浄化された流体を前記排出口１４から排出するようになっている。
【０００３】
ここで前記濾材２０としては、例えば連泡構造を有するスポンジやウレタンフォーム等の合成樹脂製の連泡体、不織布または繊維集合体等、多数の孔（空隙）を有する所謂「多孔質体」が好適に実施可能であるが、該濾材２０の密度（空隙の開口サイズや形成数）によって分散態様および圧力損失が変化し、流体に混在している異物の捕集率に影響を及ぼすものとなっている。例えば図１１は、密度が低い（各空隙の開口サイズが大きく形成されて所謂「目が粗い」）多孔質体からなる均一密度の濾材２０を実施した流体フィルタＦＬの構成断面図であり、また図１２は、密度が高い（各空隙の開口サイズが小さく形成されて所謂「目が細かい」）多孔質体からなる均一密度の濾材２０を実施した流体フィルタＦＬの構成断面図である。
【０００４】
図１１に示した流体フィルタＦＬでは、濾材２０の全体が均一的に目が粗くなっているため、圧力損失が小さくなると共に異物が濾材２０全体に適度に分散して捕集される利点があるが、空隙より小さいサイズの異物は捕集されることなく通過してしまうので、流体を確実に清浄化し得ない欠点を内在していた。一方、図１２に示した流体フィルタＦＬでは、濾材２０の全体が均一的に目が細かくなっているため相当に微細なサイズの異物を捕集し得る利点があるが、圧力損失が大きくなる欠点があると共に、濾材２０における導入口１２に臨んだ部位に種々サイズの異物が集中的に捕集されるようになるので、各種寸法差のある異物が濾材２０全体に亘り捕集されずに短期間で目詰まりを起こす欠点を内在していた。
【０００５】
そこで、種々サイズの異物を効率的に捕集するようにするため、例えば図１３または図１４に示すように、密度が低い（目が粗い）多孔質体からなる第１濾材２０Ａと、該第１濾材２０Ａより密度が高い（目が細かい）多孔質体からなる第２濾材２０Ｂとを組合わせることで、大きいサイズの異物は第１濾材２０Ａで捕集し、小さいサイズの異物は第２濾材２０Ｂで捕集するようにした流体フィルタＦＬが提案も実施されている。しかしながら、第１濾材２０Ａと第２濾材２０Ｂとの境目において密度が急激に変化するため、第１濾材２０Ａで捕集されなかった異物の殆どは第２濾材２０Ｂの外表面で集中的に捕集されてしまい、異物を夫々の濾材２０Ａ，２０Ｂの全体に亘り捕集し得ないと共に圧力損失を最小限に抑えることができないため、依然として捕集率の向上を図るには解決すべき課題が残されている。
【０００６】
【発明が解決しようとする課題】
ところで、図１１および図１２に示した従前の流体フィルタＦＬや、図１３および図１４に示した改良型の流体フィルタＦＬでは、部分的に圧縮変形させることが容易でかつ圧縮部位の圧縮度合に応じて密度を自在に変化させ得る、という多孔質体の特性を活かすことにより、濾材２０の捕集率の向上を図るという技術的思想が全くなかった。例えば、図１１および図１２に示した従前の流体フィルタＦＬでは、図１５に示すように、前記濾材２０の外部形状を前記収容部１６の内部形状と同一形状としてあるため、該濾材２０は何等圧縮されることなく該収容部１６内に収容保持されるようになり、該濾材２０が全体的に均一密度となって捕集率の向上を図るには限界があった。また、図１３および図１４に示した従前の流体フィルタＦＬも、図１６および図１７に夫々示すように、第１濾材２０Ａおよび第２濾材２０Ｂを合体させた外部形状を前記収容部１６の内部形状と同一形状としてあるため、各々の濾材２０Ａ，２０Ｂは何等圧縮されることなく該収容部１６内に収容保持されるようになり、各濾材２０Ａ，２０Ｂが全体的に均一密度となって捕集率の向上を図るには限界があった。
【０００７】
【発明の目的】
この発明は、前述した従来技術に内在している前記課題に鑑み、これを好適にに解決するべく提案されたもので、ケース体に内部画成した収容部に対して濾材を圧縮的に収容することで、異物の捕集率が高まる圧縮部位を該濾材の任意部位に作り出すようにし、これにより流体に混在している種々サイズの異物を前記濾材の全体に亘って捕集し得るよう構成した流体フィルタを提供することを目的とする。
【０００８】
【課題を解決するための手段】
前記課題を解決し、所期の目的を達成するため本発明は、所要位置に流体の導入口および排出口を開設し、これら導入口および排出口に連通する収容部を内部に画成したケース体と、適度の弾力性を有する均一密度の多孔質体を材質とし、前記収容部に着脱自在に収容される濾材とからなり、前記導入口から収容部へ導入した流体を前記濾材に通過させて該流体に混在している微細な異物を捕集し、清浄化された流体を前記排出口から排出するようにした流体フィルタにおいて、前記収容部に収容される前の前記濾材の外部寸法を、該収容部の内部容積より適宜大きく設定し、
前記収容部へ前記濾材を圧縮的に収容することで、前記異物の捕集率が高まる圧縮部位を当該濾材の任意の部位に作り出し、これにより各種寸法差のある前記異物を前記濾材の全体に亘り捕集し得るよう構成したことを特徴とする。
【０００９】
【発明の実施の形態】
次に、本発明に係る流体フィルタにつき、好適な実施例を挙げて、添付図面を参照しながら以下説明する。なお実施例では、理解の容易化を図るために、図１１〜図１７に示した従来の流体フィルタＦＬと同一形状で例示する。従って、既出の部材および部位と同一の部材、部位については、同一の符号を付して指示する。
【００１０】
【第１実施例】
図１は、第１実施例に係る流体フィルタを概略的に示す縦断側面図、図２は、図１示した流体フィルタを概略的に示す横断平面図、図３は、流体フィルタの分解斜視図である。第１実施例に係る流体フィルタＦＬは、所要位置に流体の導入口１２および排出口１４を開設し、これら導入口１２および排出口１４に連通する収容部１６を内部に画成したフィルタケース（ケース体）１０と、適度の弾力性を有する均一密度の多孔質体を材質とし、前記収容部１６に着脱自在に収容される濾材２０とから構成されている。なお本実施例では、多孔質体として連泡構造を有するウレタンフォームを例示するが、本願の濾材２０として実施可能な多孔質体は、このウレタンフォーム以外に、樹脂（ゴムおよびプラスチック等）の連泡体、不織布、繊維集合体（プラスチック、無機物、金属等から形成されるもの）等も含まれる。
【００１１】
前記フィルタケース１０は、基本的には図１１等に例示のものと同一であって、トレー状の第１半体１０Ａおよびトレー状の第２半体１０Ｂとから構成され、これら第１半体１０Ａおよび第２半体１０Ｂを、開口部同士を対向させた向きで相互に組付けることで矩形箱体状を呈し、前記濾材２０を収容するための矩形状（長さ寸法Ｌ、幅寸法Ｗ、高さ寸法Ｈ）の収容部１６を内部に画成するようになっている。そして第１半体１０Ａの一側部位には、前記収容部１６内へ流体が流入するのを許容する横長の導入口１２が開設されており、また第２半体１０Ｂの一側部位には、前記収容部１６内の流体がケース外部へ流出するのを許容する横長の排出口１４が開設されている。このような第１半体１０Ａと第２半体１０Ｂとを組付けた際には、図１において、フィルタケース１０における下面左端部位に前記導入口１２が開口し、該フィルタケース１０における上面右端部位に前記排出口１４が開口するようになっており、導入口１２からフィルタケース１０内へ導入された流体は、収容部１６内の一端から他端まで流通移動した後に排出口１４から該フィルタケース１０外へ排出される。
【００１２】
前記濾材２０は、連泡構造を有する多孔質体であるウレタンフォームを材質とし、少なくとも前記収容部１６に収容される前の外部寸法を、該収容部１６の内部容積より適宜大きく設定してある。これにより後述するように、前記収容部１６に対して圧縮的に収容されるようにすることで、流体に混在している前記異物の捕集率が高まる圧縮部位３０を濾材２０の任意の部位に作り出し（図１、図２）、各種寸法差のある異物を当該濾材２０の全体に亘り捕集し得るよう構成されている。
【００１３】
そして、濾材２０を収容部１６より大きく形成するに際しては、前記フィルタケース１０の長さ方向における前記濾材２０と前記収容部１６との寸法差が、前記導入口１２の側より前記排出口１４の側がより大きくなるように設定し、これにより前記濾材２０に作り出される前記圧縮部位３０の圧縮度合を、該導入口１２の側より該排出口１４の側の方が大きくなるようにする。すなわち、均一密度の多孔質体から形成されている濾材２０は、周知の如く、圧縮度合が大きくなるほど内部の空隙が押し潰され、これにより小さいサイズの異物を捕集し得るようになる。従って、前記導入口１２の側では圧縮度合を小さくして（または非圧縮状態として）大きいサイズの異物が捕集されるようにする一方、前記排出口１４の側へ近づく程に段階的または連続的に圧縮度合を大きくして、より小さいサイズの異物が順次捕集されるようにすることが可能となる。
【００１４】
このような前提条件のもとで形成された第１実施例の流体フィルタＦＬにおける濾材２０は、図３および図４に示すように、フィルタケース１０の長手方向に沿って３等分（第１部分２２、第２部分２４、第３部分２６）に区分したもとで、長さ寸法Ｌ、幅寸法Ｗ、高さ寸法Ｈからなる前記収容部１６に対し、長さ寸法Ａおよび幅寸法Ｂは基本的に同一に設定し、厚さ寸法Ｃだけを適宜大きく設定してある。具体的には、前記導入口１２に隣接するようになる第１部分２２は、前記収容部１６の高さ寸法Ｈと略同一の厚さ寸法Ｃ１に設定され、導入口１２と排出口１４との間に位置するようになる第２部分２４は、該収容部１６の高さ寸法Ｈの略２倍となる厚さ寸法Ｃ２に設定され、更に排出口１４に隣接するようになる第３部分は、該収容部１６の高さ寸法Ｈの略３倍となる厚さ寸法Ｃ３に設定されている。
【００１５】
これにより、前記濾材２０を挟んで前記第１半体１０Ａおよび第２半体１０Ｂを組付けるに際しては（図４（ａ））、前記第１部分２２は全く圧縮されない非圧縮部位とされ、前記第２部分２４は約１／２に圧縮されて第１圧縮部位３０Ａ（圧縮部位３０）とされ、前記第３部分２６は約１／３に圧縮されて第２圧縮部位３０Ｂ（圧縮部位３０）とされる（図４（ｂ））。従って、図５に表示するように、前記収容部１６へ収容される前の濾材２０の密度を「原密度」とすると（破線表示）、前記第１部分２２の密度は原密度と同一であり、第２部分２４（第１圧縮部位３０Ａ）の密度は原密度の２倍程度となり、前記第３部分２６（第２圧縮部位３０Ｂ）の密度は原密度の３倍程度となる（実線表示）。
【００１６】
このように第１実施例の流体フィルタＦＬでは、前記フィルタケース１０の長さ方向における前記濾材２０と前記収容部１６との寸法差が、前記導入口１２の側から前記排出口１４の側に向けて段階的（ここでは３段）に大きくなるなるように設定してあるため、前記濾材２０に作り出される前記圧縮部位３０の圧縮度合も、該導入口１２の側から該排出口１４の側に向けて段階的に大きくなっている。これにより、前記導入口１２から収容部１６内へ導入された流体が濾材２０内を通過して前記排出口１４に向けて移動する過程で、前記第１部分２２では、比較的大きいサイズの異物だけが捕集され、中間サイズの異物および小さいサイズの異物は該第１部分２２を通過する。そして前記第２部分２４（第１圧縮部位３０Ａ）では、前記第１部分２２を通過した中間サイズの異物が捕集され、小さいサイズの異物は該第２部分２４（第１圧縮部位３０Ａ）を通過する。更に、前記第３部分２６（第２圧縮部位３０Ｂ）では、前記第１部分２２および第２部分２４を通過した全ての小さいサイズの異物が捕集される。
【００１７】
従って第１実施例の流体フィルタＦＬでは、前記導入口１２からフィルタケース１０へ導入した流体に大小様々なサイズの異物が混在している場合でも、前記濾材における前記導入口１２に隣接した第１部分２２では比較的大きいサイズの異物が捕集され、第２部分２４および第３部分２６では、これより小さいサイズの異物が順次捕集されるようになる。すなわち、流体に混在する前記異物に寸法差があったとしても、サイズに応じて捕集される部位が少しずつ異なるから、各種寸法差のある前記異物を濾材２０の全体に亘り捕集することができ、捕集率を好適に向上させることができる。しかも、濾材２０の一部分に異物が集中して捕集されないから、該濾材２０を通過する流体のスムーズな流動が維持されて圧力損失を最小限に抑えることもできる。
【００１８】
このように第１実施例の流体フィルタＦＬは、全体的に均一密度に発泡成形されたウレタンフォームからなる濾材２０の外部寸法を前記収容部１６の内部容積よりも適宜大きく設定し、該収容部１６へ該濾材２０を圧縮的に収容するようにして、前記異物の捕集率が高まる圧縮部位３０（第１圧縮部位３０Ａ、第２圧縮部位３０Ｂ）を意図的に作り出すようにしたことで、単一の濾材２０だけを使用したにも拘らず、密度の異なる（捕集率の異なる）複数の濾材を使用した場合と同等乃至それ以上の捕集性能を得ることができる。これにより、低コストで異物の捕集率を好適に向上させることができる。
【００１９】
なお、図１、図２、図４（ｂ）および図５では、第１部分２２（非圧縮部位）、第２部分２４（第１圧縮部位３０Ａ）および第３部分２６（第２圧縮部位３０Ｂ）の境界部分では、夫々の部位における密度が急激に変化しているように図示表示したが、実際には、各部分２２，２４，２５の境界部分における密度は徐々に変化するようになる。
【００２０】
また、前記第１部分２２と第２部分２４との境界部分や、第２部分２４と第３部分２６との境界部分に、適宜深さの切込み（スリット）を形成するようにすれば、第２部分２４の圧縮変形が第１部分２２へ直接的に影響を及ぼさないと共に、第３部分の圧縮変形が第２部分２４へ直接的に影響を及ぼさない。
【００２１】
【第２実施例】
図６は、第２実施例に係る流体フィルタの分解斜視図、図７は第２実施例の流体フィルタＦＬを組立てる状態を概略的に示した縦断側面図であって、この第２実施例の流体フィルタＦＬは、フィルタケース１０は同一のものが使用され、濾材２０の形状のみを変更したものである。この濾材２０は、長さ寸法Ｌ、幅寸法Ｗ、高さ寸法Ｈからなる前記収容部１６に対し、長さ寸法Ａおよび幅寸法Ｂは基本的に同一に設定し、厚さ寸法Ｃだけを適宜大きく設定してある。具体的には、前記導入口１２に隣接する第１端部３２の側は、前記収容部１６の高さ寸法Ｈと略同一の厚さ寸法Ｃ１とされ、排出口１４に隣接する第２端部３４の側は、該収容部１６の高さ寸法Ｈの略３倍となる厚さ寸法Ｃ３とされ、第１端部３２から第２端部３４に向けて徐々に厚さが大きくなっている所謂倒伏台形状を呈している。すなわち第２実施例の流体フィルタＦＬでは、前記フィルタケース１０の長さ方向における前記濾材２０と前記収容部１６との寸法差が、前記導入口１２の側から前記排出口１４の側に向けて連続的、すなわち直線的に大きくなるように設定してある。
【００２２】
これにより、前記濾材２０を挟んで前記第１半体１０Ａおよび第２半体１０Ｂを組付けるに際しては（図７（ａ））、前記導入口１２に隣接する第１端部３２の近傍部位は殆ど圧縮されず、この第１端部３２から離間するに比例して徐々に（連続的に）圧縮度合が高まって中間部位では約１／２に圧縮され、更に前記排出口１４に隣接する第２端部３４の近傍部位は約１／３に圧縮されている（図７（ｂ））。従って、収容部１６に圧縮的に収容された前記濾材２０に作り出される圧縮部位３０の圧縮度合は、前記導入口１２の側から前記排出口１４の側に向けて連続的に大きくなっており、これにより該濾材２０の密度は、図５に１点鎖線で示すように、導入口１２の側から排出口１４の側に向けて連続的に高くなり、第１端部３２の近傍部位の密度は原密度と同一であり、第２端部３４の近傍部位の密度は原密度の３倍程度となっている。
【００２３】
従って第２実施例の流体フィルタＦＬでは、前記導入口１２からフィルタケース１０へ導入した流体に大小様々なサイズの異物が混在している場合でも、前記濾材における前記導入口１２に隣接した部位では比較的大きいサイズの異物が捕集され、排出口１４側に近づくにつれてより小さいサイズの異物が順次捕集されるようになる。すなわち、流体に混在する前記異物に寸法差があったとしても、サイズに応じて捕集される部位が少しずつ異なるから、各種寸法差のある前記異物を濾材２０の全体に亘り捕集することができ、捕集率を好適に向上させることができる。しかも、濾材２０の一部分に異物が集中して捕集されないから、該濾材２０を通過する流体のスムーズな流動が維持されて圧力損失を最小限に抑えることもできる。
【００２４】
【第３実施例】
図８は、第３実施例に係る流体フィルタの分解斜視図、図９は第３実施例の流体フィルタＦＬを組立てる状態を概略的に示した縦断側面図であって、この第３実施例の流体フィルタＦＬも、フィルタケース１０の変更はなく、濾材２０の形状のみを変更したものである。この濾材２０は、長さ寸法Ｌ、幅寸法Ｗ、高さ寸法Ｈからなる前記収容部１６に対し、長さ寸法Ａおよび幅寸法Ｂは基本的に同一に設定し、厚さ寸法Ｃだけを適宜大きく設定してある。具体的には、前記導入口１２に隣接する第１端部３２の側は、前記収容部１６の高さ寸法Ｈと略同一の厚さ寸法Ｃ１とされ、排出口１４に隣接する第２端部３４の側は、該収容部１６の高さ寸法Ｈの略３倍となる厚さ寸法Ｃ３とされ、第１端部３２から第２端部３４に向けて不規則的に厚さが大きくなっている所謂流線形状を呈している。すなわち第３実施例の流体フィルタＦＬでは、前記フィルタケース１０の長さ方向における前記濾材２０と前記収容部１６との寸法差が、前記導入口１２の側から前記排出口１４の側に向けて連続的、すなわち非直線的（曲線的）に大きくなるように設定してある。
【００２５】
これにより、前記濾材２０を挟んで前記第１半体１０Ａおよび第２半体１０Ｂを組付けるに際しては（図９（ａ））、前記導入口１２に隣接する第１端部３２の近傍部位は殆ど圧縮されず、この第１端部３２から離間するにつれて不規則的に圧縮度合が高まり、前記排出口１４に隣接する第２端部３４の近傍部位は約１／３に圧縮されている（図９（ｂ））。従って、収容部１６に圧縮的に収容された前記濾材２０に作り出される圧縮部位３０の圧縮度合は、前記導入口１２の側から前記排出口１４の側に向けて不規則的に大きくなっており、これにより該濾材２０の密度は、図５に２点鎖線で示すように、導入口１２の側から排出口１４の側に向けて不規則的に高くなる。但し、第１端部３２の近傍部位の密度は原密度と同一であり、第２端部３４の近傍部位の密度は原密度の３倍程度となっている。
【００２６】
このような第３実施例の流体フィルタＦＬにあっても、前記導入口１２からフィルタケース１０へ導入した流体に大小様々なサイズの異物が混在している場合でも、前記濾材における前記導入口１２に隣接した部位では比較的大きいサイズの異物が捕集され、排出口１４側に近づくにつれてより小さいサイズの異物が順次捕集されるようになる。すなわち、流体に混在する前記異物に寸法差があったとしても、サイズに応じて捕集される部位が少しずつ異なるから、各種寸法差のある前記異物を濾材２０の全体に亘り捕集することができ、捕集率を好適に向上させることができる。しかも、濾材２０の一部分に異物が集中して捕集されないから、該濾材２０を通過する流体のスムーズな流動が維持されて圧力損失を最小限に抑えることもできる。
【００２７】
なお本願の流体フィルタＦＬは、前述した第１実施例〜第３実施例に例示した矩形状のものに限定されるものではなく、対象とする流体（気体、液体）の性状や混在している異物の性状、フィルタケース１０の形状・サイズ、濾材２０の材質等の様々な条件により、種々の形状・サイズに形成し得ることは勿論である。
【００２８】
本願の濾材２０を構成する多孔質体とは、前述した如く、前記各実施例に例示した連泡構造を有するウレタンフォームに限定されるものではなく、これ以外に、樹脂（ゴムおよびプラスチック等）の連泡体、不織布、繊維集合体（プラスチック、無機物、金属等から形成されるもの）等も好適に実施可能である。
【００２９】
【発明の効果】
以上に説明した如く、本発明に係る流体フィルタによれば、全体的に均一密度とされる濾材の外部寸法を、ケース体における収容部の内部容積よりも適宜大きく設定し、該収容部へ該濾材を圧縮的に収容するようにして、異物の捕集率が高まる圧縮部位を任意の部位に作り出すようにしたことで、単一の濾材だけを使用したにも拘らず、密度の異なる（捕集率の異なる）複数の濾材を使用した場合と同等乃至それ以上の捕集性能を得ることができる有益な効果を奏する。これにより、低コストで異物の捕集率を好適に向上させることができる利点がある。
そして、前記濾材と前記収容部との寸法差が、ケース体の導入口の側から排出口の側に向けて大きくなるなるように設定してあるため、流体に混在する異物に寸法差があったとしても、サイズに応じて捕集される部位が少しずつ異なるから、各種寸法差のある異物を濾材の全体に亘り捕集することができ、捕集率を好適に向上させることができる等の利点もある。
なお濾材としては、連泡構造を有する合成樹脂製の連泡体、不織布または繊維集合体等からなる多孔質体が好適に採用可能である。
【図面の簡単な説明】
【図１】第１実施例に係る流体フィルタを概略的に示す縦断側面図である。
【図２】第１実施例に係る流体フィルタを概略的に示す横断平面図である。
【図３】第１実施例に係る流体フィルタの分解斜視図である。
【図４】（ａ）は、濾材を挟んでフィルタケースを組付ける前の状態を示した断面図、（ｂ）は、濾材を適宜圧縮させつつフィルタケースを組付けた状態を示した断面図である。
【図５】第１実施例〜第３実施例における濾材の密度分布を示したグラフである。
【図６】第２実施例に係る流体フィルタの分解斜視図である。
【図７】（ａ）は、濾材を挟んでフィルタケースを組付ける前の状態を示した断面図、（ｂ）は、濾材を適宜圧縮させつつフィルタケースを組付けた状態を示した断面図である。
【図８】第３実施例に係る流体フィルタの分解斜視図である。
【図９】（ａ）は、濾材を挟んでフィルタケースを組付ける前の状態を示した断面図、（ｂ）は、濾材を適宜圧縮させつつフィルタケースを組付けた状態を示した断面図である。
【図１０】流体フィルタを装着した装置の概略図である。
【図１１】目が粗い単一の濾材をフィルタケースに収容して構成される従来実施の流体フィルタの縦断側面図である。
【図１２】目が細かい単一の濾材をフィルタケースに収容して構成される従来実施の流体フィルタの縦断側面図である。
【図１３】目が粗い第１濾材および目が細かい第２濾材をフィルタケースに収容して構成される従来実施の流体フィルタの縦断側面図である。
【図１４】目が粗い第１濾材および目が細かい第２濾材をフィルタケースに収容して構成される従来実施の流体フィルタの縦断側面図である。
【図１５】図１１または図１２に示した流体フィルタの分解斜視図であって、フィルタケースに内部画成された収容部の内部容積と濾材の外部寸法とが、同一に設定されていることを示している。
【図１６】図１３に示した流体フィルタの分解斜視図であって、フィルタケースに内部画成された収容部の内部容積と、第１濾材および第２濾材を合体させた際の外部寸法とが、同一に設定されていることを示している。
【図１７】図１４に示した流体フィルタの分解斜視図であって、フィルタケースに内部画成された収容部の内部容積と、第１濾材および第２濾材を合体させた際の外部寸法とが、同一に設定されていることを示している。
【符号の説明】
１０　ケース体
１２　導入口
１４　排出口
１６　収容部
２０　濾材
３０　圧縮部位
【図１】
2004057914.tif 000003
【図２】
2004057914.tif 000004
【図３】
2004057914.tif 000005
【図４】
2004057914.tif 000006
【図５】
2004057914.tif 000007
【図６】
2004057914.tif 000008
【図７】
2004057914.tif 000009
【図８】
2004057914.tif 000010
【図９】
2004057914.tif 000011
【図１０】
2004057914.tif 000012
【図１１】
2004057914.tif 000013
【図１２】
2004057914.tif 000014
【図１３】
2004057914.tif 000015
【図１４】
2004057914.tif 000016
【図１５】
2004057914.tif 000017
【図１６】
2004057914.tif 000018
【図１７】
2004057914.tif 000019